(57)【要約】【課題】より簡単な構成で一定の操作ストロークに対するカード排出距離を増大させるカード用コネクタ及びそのカード用コネクタを提供すること。【解決手段】カード用コネクタ１００は、カード５０をイジェクトするときに押し操作される押し操作部材４４と、操作者が押し操作部材４４を押す力に応じて回動しながらカード５０を排出方向に押し出すカード押し出し回動部材４１であり、操作者が押し操作部材４４を押す力を受けるために押し操作部材４４に接する力点、カード５０を排出方向に押し出すためにカード５０に接する少なくとも二つの作用点、及び、その回動を生じさせるためにカード用コネクタ１００内に設けられた受け部３９に接する支点を定義するカード押し出し回動部材４１とを備え、カード押し出し回動部材４１におけるその作用点とその支点との間の距離は、カード５０が排出されるにつれて増大する。【選択図】図２
2012043539.tif 000002
【特許請求の範囲】
【請求項１】
カードを挿入排出方向にスライド可能に受け入れるカード用コネクタであって、
挿入されているカードをイジェクトするときに押し操作される押し操作部材と、
操作者が前記押し操作部材を押す力に応じて回動しながら前記カードを排出方向に押し出すカード押し出し回動部材であり、操作者が前記押し操作部材を押す力を受けるために前記押し操作部材に接する力点、前記カードを排出方向に押し出すために前記カードに接する少なくとも二つの作用点、及び、前記回動を生じさせるために当該カード用コネクタ内に設けられた受け部に接する支点を定義するカード押し出し回動部材と、を備え、
前記カード押し出し回動部材における前記作用点と前記支点との間の距離は、前記カードが排出されるにつれて増大する、
ことを特徴とするカード用コネクタ。
【請求項２】
前記作用点と前記支点との間の距離は、当該カード用コネクタのピン端子と前記カードのピン穴とが係合しているときより、前記ピン端子と前記ピン穴との間の係合が解除されたときの方が大きい、
ことを特徴とする請求項１に記載のカード用コネクタ。
【請求項３】
前記作用点と前記支点との間の距離は、前記ピン端子と前記ピン穴とが係合しているときに前記力点と前記支点との間の距離より小さく、前記ピン端子と前記ピン穴との間の係合が解除されたときに前記力点と前記支点との間の距離より大きい、
ことを特徴とする請求項２に記載のカード用コネクタ。
【請求項４】
請求項１乃至３の何れか一項に記載のカード用コネクタに挿入されるカードであって、
挿入側の端面において前記少なくとも二つの作用点を提供する壁面部を備える、
ことを特徴とするカード。
【請求項５】
前記挿入側の端面において、該端面から挿入方向に突出するコンタクト部を備え、該コンタクト部と前記カード用コネクタのガイド本体との間に前記カード押し出し回動部材を収容可能な空間を定義する、
ことを特徴とする請求項４のカード。
【請求項６】
請求項１に記載のカード用コネクタを備える車載装置。
【請求項７】
請求項４に記載のカードを挿入可能なカード用コネクタを備える車載装置。
【発明の詳細な説明】
【技術分野】
【０００１】
本発明は、カード用コネクタ、そのカード用コネクタに適合するカード、及びそのカード用コネクタを備えた車載装置に関し、特に、カードイジェクト機構によってイジェクト（排出）されたカードを操作者が容易に抜き取ることができるようにするカード用コネクタ、そのカード用コネクタに適合するカード、及びそのカード用コネクタを備えた車載装置に関する。
【背景技術】
【０００２】
従来、イジェクト操作レバーを押し操作することによってＰＣカードをイジェクトさせるカードイジェクト機構を備えたカード用コネクタにおいて、操作性を損なうことなくイジェクト操作レバーのストロークを短くすることで、その奥行き方向の寸法を短くして小型化を実現させたカード用コネクタが知られている（例えば、特許文献１参照。）。
【０００３】
このカード用コネクタは、操作者がイジェクト操作レバーを押す力に応じて回動しながらカードを押し出すカード押し出し回動部材を備え、カード押し出し回動部材は、操作者がイジェクト操作レバーを押す力を受けるための折り曲げ部（力点）、カードを排出方向に押し出すための押し部（作用点）、及び、その回動を生じさせるためにコネクタ本体嵌合部の奥側側面板部に設けられた第一の受け部及び第二の受け部のそれぞれに接する第一の円弧状張出し部及び第二の円弧状張出し部（二つの支点）を有する。
【０００４】
この構成により、カード用コネクタは、操作者がイジェクト操作レバーを押す力を増大させることなく、また、押し部の変位距離（挿入口からのカードの排出距離に相当する。）を短縮させることもなく、イジェクト操作レバーの操作ストロークを低減させることで、カード用コネクタの奥行き方向の寸法を短縮させている。
【先行技術文献】
【特許文献】
【０００５】
【特許文献１】特開２００７−２１３８６７号公報
【発明の概要】
【発明が解決しようとする課題】
【０００６】
しかしながら、特許文献１のカード用コネクタは、受け部及び円弧状張出し部の二対の組み合わせによって二つの支点を順番に出現させるので、ピン端子を受け入れるためのピン穴を挿入方向の端面のほぼ全域に備えたカードであって、押し部（作用点）が接触する領域をその端面の縁部に限定するカードに対応しながら、一定のカード排出距離に対する操作ストロークの低減ひいては奥行き方向の寸法の短縮（すわなち、一定の操作ストロークに対するカード排出距離の増大）を実現させるが、コネクタ本体嵌合部の奥側側面板部に二箇所の受け部を設ける必要がある等、その構造が複雑になってしまう。
【０００７】
また、特許文献１のカード用コネクタは、カーナビゲーションシステムや車載オーディオシステム等の車載装置に搭載されることを想定していないため、車載装置に搭載された場合には、振動によりカードがそのカード用コネクタから外れるというような意図しないカードの抜け落ちを引き起こしたり、或いは、車両を傾斜面に駐車した状態（カード用コネクタがカード排出口を下にして傾斜した状態）でカードを排出するときにそのカードがそのカード用コネクタから抜け落ちるのを防止することができずそのカードの破損を引き起こしたりするおそれがある。
【０００８】
上述の点に鑑み、本発明は、より簡単な構成で一定の操作ストロークに対するカード排出距離を増大させるカード用コネクタ、そのカード用コネクタに適合するカード、及びそのカード用コネクタを備えた車載装置を提供することを目的とする。
【課題を解決するための手段】
【０００９】
上述の目的を達成するために、第一の発明に係るカード用コネクタは、カードを挿入排出方向にスライド可能に受け入れるカード用コネクタであって、挿入されているカードをイジェクトするときに押し操作される押し操作部材と、操作者が前記押し操作部材を押す力に応じて回動しながら前記カードを排出方向に押し出すカード押し出し回動部材であり、操作者が前記押し操作部材を押す力を受けるために前記押し操作部材に接する力点、前記カードを排出方向に押し出すために前記カードに接する少なくとも二つの作用点、及び、前記回動を生じさせるために当該カード用コネクタ内に設けられた受け部に接する支点を定義するカード押し出し回動部材と、を備え、前記カード押し出し回動部材における前記作用点と前記支点との間の距離は、前記カードが排出されるにつれて増大することを特徴とする。
【００１０】
また、第二の発明は、第一の発明に係るカード用コネクタであって、前記作用点と前記支点との間の距離は、当該カード用コネクタのピン端子と前記カードのピン穴とが係合しているときより、前記ピン端子と前記ピン穴との間の係合が解除されたときの方が大きいことを特徴とする。
【００１１】
また、第三の発明は、第二の発明に係るカード用コネクタであって、前記作用点と前記支点との間の距離は、前記ピン端子と前記ピン穴とが係合しているときに前記力点と前記支点との間の距離より小さく、前記ピン端子と前記ピン穴との間の係合が解除されたときに前記力点と前記支点との間の距離より大きいことを特徴とする。
【００１２】
また、第四の発明は、第一乃至第三の何れかの発明に係るカード用コネクタに挿入されるカードであって、挿入側の端面において前記少なくとも二つの作用点を提供する壁面部を備えることを特徴とする。
【００１３】
また、第五の発明は、第四の発明に係るカードであって、前記挿入側の端面において、該端面から挿入方向に突出するコンタクト部を備え、該コンタクト部と前記カード用コネクタのガイド本体との間に前記カード押し出し回動部材を収容可能な空間を定義することを特徴とする。
【００１４】
また、第六の発明は、第一の発明に係るカード用コネクタを備える車載装置である。
【００１５】
また、第七の発明は、第四の発明に係るカードを挿入可能なカード用コネクタを備える車載装置である。
【発明の効果】
【００１６】
上述の手段により、本発明は、より簡単な構成で一定の操作ストロークに対するカード排出距離を増大させるカード用コネクタ、そのカード用コネクタに適合するカード、及びそのカード用コネクタを備えた車載装置を提供することができる。
【図面の簡単な説明】
【００１７】
【図１】本発明に係るカード用コネクタの底面斜視図である。
【図２】本発明に係るカード用コネクタの分解斜視図である。
【図３】カードイジェクト機構の組立図である。
【図４】本発明に係るカード用コネクタに挿入されるカードの斜視図である。
【図５】カードとカード押し出し部材との間の相対的な位置関係を示す図である。
【図６】カードイジェクト機構によるカードの排出を説明する図である。
【図７】カードイジェクト機構の第二実施例を示す図である。
【図８】カードイジェクト機構の第三実施例を示す図である。
【図９】カードイジェクト機構の第四実施例を示す図である。
【図１０】カードロック用爪の組立図である。
【図１１】イジェクト操作レバーとカードロック用爪との関係を説明する図である。
【図１２】飛び出し防止用爪とカードとの間の係合関係を説明するための図である。
【図１３】本発明に係る車載装置の一例を示す図である。
【図１４】本発明に係る車載装置からのカードの排出手順を説明するための図である。
【発明を実施するための形態】
【００１８】
以下、図面を参照しつつ、本発明を実施するための最良の形態の説明を行う。
【実施例】
【００１９】
図１は、本発明に係るカード用コネクタ１００の底面斜視図であり、図１（Ａ）は、カード用コネクタ１００にカード５０を挿入したときの状態を示し、図１（Ｂ）は、カード用コネクタ１００からカード５０を排出した後の状態を示す。また、図２は、カード用コネクタ１００の分解斜視図である。
【００２０】
なお、Ｘ１−Ｘ２方向は、カード用コネクタ１００の幅方向に対応し、Ｙ１−Ｙ２方向は、カード用コネクタ１００の奥行き方向に対応し、Ｚ１−Ｚ２方向は、カード用コネクタ１００の高さ方向に対応する。図３〜図１２についても同様である。
【００２１】
図１及び図２を参照すると、カード用コネクタ１００は、コネクタ本体２０、ガイド本体３０及びカードイジェクト機構４０を有する。
【００２２】
コネクタ本体２０は、合成樹脂モールドのフレーム部材２１に多数のピン端子２２と一対の同軸ケーブル端子２３とが配列された構成であり、プリント基板上に固定的に実装される。
【００２３】
ガイド本体３０は、合成樹脂モールド部材であり、コネクタ本体嵌合部３１とコネクタ本体嵌合部３１の左右端からＹ２方向に延在するガイドレール３１ａ、３１ｂとを有し、ガイドレール３１ａ、３１ｂを橋渡しする形で金属製シールド３２がそれらの上面に取り付けられる。
【００２４】
また、ガイド本体３０は、ガイドレール３１ａのＹ２側端にカードロック用爪３６が旋回自在に取り付けられ、かつ、所定位置にカード接地用金具３４及びレバー状態検知コンタクト３５が取り付けられる。
【００２５】
カード接地用金具３４は、カード５０がカード用コネクタ１００に挿入された場合にカード５０の側壁に接触してカード５０の筐体を接地電位とするための部材である。
【００２６】
また、レバー状態検知コンタクト３５は、後述のイジェクト操作レバー４２の状態を検知するためのスイッチであり、カード５０をイジェクトするためにカード用コネクタ１００のＹ２側面（前面）からイジェクト操作レバー４２を更にＹ２側に突出させた状態にあるときに非導通状態となり、カード用コネクタ１００の前面よりＹ１側にイジェクト操作レバー４２を突出させないよう引っ込ませた状態にあるときに導通状態となる。
【００２７】
更に、ガイド本体３０は、ガイドレール３１ｂのＹ２側端に飛び出し防止用爪３８が旋回可能に取り付けられる。なお、カードロック用爪３６及び飛び出し防止用爪３８の機能については後述する。
【００２８】
ガイド本体３０は、コネクタ本体嵌合部３１がコネクタ本体２０に嵌合しコネクタ本体２０を覆う状態で、ガイドレール３１ａ、３１ｂをプリント基板にネジ止めされてプリント基板上に固定される。
【００２９】
カードイジェクト機構４０は、梃子の原理を利用してカード５０をイジェクトさせる機構であり、カード押し出し回動部材４１、イジェクト操作レバー４２、伝達カムアーム４３及びイジェクトバー４４を有する。
【００３０】
図３は、カードイジェクト機構４０の組立図であり、図の明瞭化のため、ガイド本体３０を省略している。
【００３１】
カード押し出し回動部材４１は、レバー形状の金属板製の部材であり、一端に押し操作力受け部４１ａ、他端にカード押し出し部４１ｃ、４１ｄを有し、その間に回動凸部４１ｂを有する。
【００３２】
カード押し出し回動部材４１は、ガイド本体３０の内面からＺ２方向に突出し回動凸部４１ｂを受け入れるようにその一部を窪ませた回動凹部３９に、回動凸部４１ｂを係合させる。
【００３３】
また、カード押し出し回動部４１は、押し操作力受け部４１ａのところでイジェクトバー４４と係合し、イジェクトバー４４は、伝達カムアーム４３を経てイジェクト操作レバー４２に結合されている。
【００３４】
イジェクト操作レバー４２、伝達カムアーム４３及びイジェクトバー４４は、ガイド本体３０におけるガイドレール３１ａのＸ１側面に形成されるハート型カム溝と協働しながらプッシュロック・プッシュリターン機構を構成する。
【００３５】
プッシュロック・プッシュリターン機構は、カード用コネクタ１００にカード５０が挿入されているときにイジェクト操作レバー４２がカード５０のＹ２側端面を含む平面からＹ２側に突出しないようにイジェクト操作レバー４２をＹ１方向に収容可能とし、一方で、カード用コネクタ１００からカード５０を排出するときには最初の瞬間的な押し操作でイジェクト操作レバー４２をＹ２側に突出させ、次の継続的な押し操作で伝達カムアーム４３及びイジェクトバー４４をＹ１側に押し込んでカード押し出し回動部材４１を回動させてカード５０を排出させる機構である。
【００３６】
この構成により、操作者がイジェクト操作レバー４２をＹ１方向に押し操作すると（矢印ＡＲ１参照。）、カード用コネクタ１００は、カード押し出し回動部材４１の回動凸部４１ｂをガイド本体３０の回動凹部３９に係合させながら、カード押し出し回動部材４１を時計回りに回動させ（矢印ＡＲ２参照。）、カード押し出し回動部材４１のカード押し出し部４１ｃ、４１ｄを順番にカード５０のＹ１側端面に押し当てながらカード５０をＹ２方向に押し出すようにする。
【００３７】
次に、図４を参照しながらカード用コネクタ１００に挿入されるカードについて説明する。なお、図４は、カード用コネクタ１００に挿入されるカード５０の斜視図であり、図４（Ａ）は、カード５０の上面斜視図を示し、図４（Ｂ）は、カード５０の底面斜視図を示し、図４（Ｃ）は、カード５０の背面斜視図を示し、図４（Ｄ）は、カード５０の側面斜視図を示す。
【００３８】
カード５０は、Ｙ１側の端面において、そのＹ１側端面からＹ１方向に突出するコンタクト部５２と、カード押し出し部材４１のカード押し出し部４１ｃ、４１ｄが接触する面を提供する壁面部５４とを備え、コンタクト部５２のＺ１側にカード押し出し回動部材４１を収容可能な空間を創出する。
【００３９】
この構成により、カード用コネクタ１００は、コネクタ本体２０の更にＹ１側（奥側）にカード押し出し回動部材４１を収容するための空間を用意する必要がなく、カード用コネクタ１００の奥行き方向の寸法を短縮させることができる。
【００４０】
コンタクト部５２は、Ｙ１側の端部にピン穴５２ａ、同軸ケーブル用ピン穴５２ｂを備え、それぞれ、コネクタ本体２０のピン端子２２、同軸ケーブル端子２３に接続される。
【００４１】
また、カード５０は、Ｘ１側の側面に、カードロック用爪３６が係合するカードロック用凹部５６を備え、Ｘ２側の側面に、飛び出し防止用爪３８が係合する飛び出し防止用凹部５８を備える。なお、カードロック用凹部５６及び飛び出し防止用凹部５８の機能については後述する。
【００４２】
図５は、カード５０とカード押し出し部材４１との間の相対的な位置関係を示す図であり、カード押し出し部材４１は、カード５０におけるコンタクト部５２のＺ１側に創出された空間内に収容され、カード押し出し部４１ｃ、４１ｄをカード５０における壁面部５４に接触させることができる。
【００４３】
次に、図６を参照しながら、カードイジェクト機構４０によるカード５０の排出について説明する。
【００４４】
図６は、カードイジェクト機構４０によるカード５０の排出を図６（Ａ）から図６（Ｃ）までの時系列で示す図であり、図６（Ａ）は、カード５０がカード用コネクタ１００に挿入されている状態を示し、図６（Ｂ）は、カード押し出し部材４１のカード押し出し部４１ｃをカード５０の壁面部５４に接触させながらカード５０を排出している状態を示し、図６（Ｃ）は、カード押し出し部材４１のカード押し出し部４１ｄをカード５０の壁面部５４に接触させながらカード５０を排出している状態を示す。
【００４５】
なお、基準線Ｌ１は、図６（Ａ）から図６（Ｃ）における、回動凸部４１ｂと回動凹部３９とが係合する位置（不変）のそれぞれを繋いだ線であり、カード押し出し部材４１及びカード５０の時間経過に伴う変位を分かり易く説明するための補助線である。
【００４６】
図６（Ｂ）で示すように、押し操作力受け部４１ａ（力点）で大きさＦ１のＹ１方向の力を受けると、カード押し出し部材４１は、回動凸部４１ｂと回動凹部３９との係合点（支点）を中心にＸＹ平面を時計回りに回動し、カード押し出し部４１ｃをカード５０の壁面部５４の一領域（作用点）に接触させて大きさＦ２のＹ２方向の力（排出力）をカード５０に及ぼす。
【００４７】
なお、距離Ｄ１は、力点と支点との間の距離を示し、距離Ｄ２は、支点と作用点との間の距離を示し、距離Ｓ１は、カード用コネクタ１００の挿入口からのカード５０の排出距離を示す。
【００４８】
大きさＦ２の排出力は、カード５０のコンタクト部５２におけるピン穴５２ａ及び同軸ケーブル用ピン穴５２ｂからコネクタ本体２０のピン端子２２及び同軸ケーブル端子２３を引き抜くのに十分な大きさであり、梃子の原理により、Ｆ２＝Ｆ１×Ｄ１／Ｄ２で表される。
【００４９】
カード押し出し部材４１は、カード押し出し部材４１の時計回りの回動が進みカード押し出し部４１ｄがカード５０の壁面部５４に接触するまで、カード押し出し部４１ｃをカード５０の壁面部５４に接触させながらカード５０をＹ２方向に押し出すようにする。なお、カード押し出し部４１ｄがカード５０の壁面部５４に接触した時点におけるイジェクト操作レバー４２の操作ストロークは、例えば、８ミリメートルであり、距離Ｓ１は、例えば、４ミリメートルである。
【００５０】
また、図６（Ｃ）で示すように、押し操作力受け部４１ａ（力点）で引き続き大きさＦ１のＹ１方向の力を受けると、カード押し出し部材４１は、回動凸部４１ｂと回動凹部３９との係合点（支点）を中心にＸＹ平面を更に時計回りに回動し、カード押し出し部４１ｄをカード５０の壁面部５４の一領域（作用点）に接触させて大きさＦ３（Ｆ３＜Ｆ２））のＹ２方向の力（排出力）をカード５０に及ぼす。
【００５１】
なお、距離Ｄ３は、力点と支点との間の距離を示し、距離Ｄ４は、支点と作用点との間の距離を示し、距離Ｓ２は、カード用コネクタ１００の挿入口からのカード５０の排出距離を示す。
【００５２】
大きさＦ３の排出力は、距離Ｄ４が距離Ｄ２に比べて増大するために、大きさＦ２の力に比べて小さいものとなるが、カード５０のコンタクト部５２におけるピン穴５２ａ、同軸ケーブル用ピン穴５２ｂとコネクタ本体２０のピン端子２２、同軸ケーブル端子２３との間の係合が解かれて左右の側面をガイドレール３１ａ、３１ｂに接触させているだけのカード５０をＹ２方向にスライドさせるのに十分な大きさであり、梃子の原理により、Ｆ３＝Ｆ１×Ｄ３／Ｄ４で表される。
【００５３】
カード押し出し部材４１は、カード押し出し部材４１の時計回りの回動が進み、押し操作力受け部４１ａ（力点）がそれ以上回動できなくなるまで、カード押し出し部４１ｄをカード５０の壁面部５４に接触させながらカード５０をＹ２方向に押し出すようにする。なお、カード押し出し部材４１の回動が最大となった時点におけるイジェクト操作レバー４２の操作ストロークは、例えば、１２ミリメートルであり、距離Ｓ２は、例えば、２０ミリメートルである。
【００５４】
この構成により、カード押し出し部材４１は、その回動の進行につれて、支点と作用点との間の距離を段階的に増大させ、第一段階では操作ストロークに対するカード５０の排出距離を小さくしながらもカード５０をＹ２方向に押す大きな排出力を発生させ、第二段階ではその排出力を低減させながら（必要十分な大きさとしながら）操作ストロークに対する排出距離を増大させることができる。
【００５５】
次に、図７〜図９を参照しながら、カードイジェクト機構の他の実施例について説明する。
【００５６】
図７は、カードイジェクト機構４０の第二実施例を示す図であり、カード押し出し部材４１０が三つのカード押し出し部４１０ｃ、４１０ｄ、４１０ｅを有する点で、カード押し出し部材４１と異なる。
【００５７】
カード押し出し部材４１０は、押し操作力受け部４１０ａ（力点）で操作者によるＹ１方向の押し操作力を受け、回動凸部４１０ｂと回動凹部３９との係合点（支点）を中心にＸＹ平面を時計回りに回動し、カード押し出し部４１０ｃ、４１０ｅ、４１０ｄを順番にカード５０における壁面部５４の一領域（作用点）に接触させてＹ２方向の力（排出力）をカード５０に及ぼす。
【００５８】
この構成により、カード押し出し部材４１０は、その回動の進行につれて、支点と作用点との間の距離を三段階で増大させ、第一段階では操作ストロークに対するカード５０の排出距離を小さくしながらもカード５０をＹ２方向に押す大きな排出力（ピン端子２２、２３をピン穴５２ａ、５２ｂから引き抜くのに必要十分な力である。）を発生させ、段階的にその排出力を低減させながら（ピン端子２２、２３とピン穴５２ａ、５２ｂとの間の係合が解除されたカード５０をＹ２方向にスライドさせるのに必要十分な大きさとしながら）操作ストロークに対する排出距離を増大させることができる。
【００５９】
同様に、図８は、カードイジェクト機構４０の第三実施例を示す図であり、カード押し出し部材４１１がカード押し出し部４１１ｆを有する点で、カード押し出し部材４１と異なる。
【００６０】
カード押し出し部材４１１は、押し操作力受け部４１１ａ（力点）で操作者によるＹ１方向の押し操作力を受け、回動凸部４１１ｂと回動凹部３９との係合点（支点）を中心にＸＹ平面を時計回りに回動し、カード押し出し部４１１ｆをカード５０における壁面部５４の一領域（作用点）に接触させてＹ２方向の力（排出力）をカード５０に及ぼす。
【００６１】
この構成により、カード押し出し部材４１１は、その回動の進行につれて、支点と作用点との間の距離を無段階で増大させ、当初は操作ストロークに対するカード５０の排出距離を小さくしながらもカード５０をＹ２方向に押す大きな排出力を発生させ、徐々にその排出力を低減させながら操作ストロークに対する排出距離を増大させることができる。
【００６２】
更に、図９は、カードイジェクト機構４０の第四実施例を示す図であり、カード５０の壁面部５４が凸部５４ａを有する点で、他の実施例と異なる。
【００６３】
カード押し出し部材４１２は、押し操作力受け部４１２ａ（力点）で操作者によるＹ１方向の押し操作力を受け、回動凸部４１２ｂと回動凹部３９との係合点（支点）を中心にＸＹ平面を時計回りに回動し、最初に、カード押し出し部４１２ｃをカード５０における壁面部５４の凸部５４ａ（作用点）に接触させ、次いで、カード押し出し部４１２ｄをカード５０における壁面部５４のＸ２側端の一領域（作用点）に接触させてＹ２方向の力（排出力）をカード５０に及ぼす。
【００６４】
この構成により、カード押し出し部材４１２は、その回動の進行につれて、支点と作用点との間の距離を段階的に増大させ、初期の段階では操作ストロークに対するカード５０の排出距離を小さくしながらもカード５０をＹ２方向に押す大きな排出力を発生させ、次の段階でその排出力を低減させながら操作ストロークに対する排出距離を増大させることができる。
【００６５】
次に、図１０及び図１１を参照しながら、カードロック用爪の機能について説明する。
【００６６】
図１０は、カードロック用爪の組立図であり、図の明瞭化のため、カードロック用爪３６、イジェクト操作レバー４２及びカード５０以外は図示が省略されている。
【００６７】
カードロック用爪３６は、図示が省略されたガイド本体３０のガイドレール３１ａに旋回自在に取り付けられ、コイルスプリング等（図示せず。）によってＸ２方向に旋回するよう付勢されており、カード５０がカード用コネクタ１００に挿入された状態において、カード５０のカードロック用凹部５６と係合し、カード５０がＹ２方向に飛び出してしまうのを防止する。
【００６８】
図１１は、イジェクト操作レバー４２とカードロック用爪３６との関係を説明するための図であり、図１１（Ａ）は、カード５０のＹ２側の端面を含む平面から更にＹ２側に突出しないようにイジェクト操作レバー４２をＹ１側に押し込んで収容したときの状態を示し、図１１（Ｂ）は、カード５０をイジェクトするため一回の瞬間的な押し操作によりカード５０のＹ２側の端面を含む平面を超えてイジェクト操作レバー４２をＹ２側に突出させたときの状態を示し、図１１（Ｃ）は、カード５０をイジェクトするためイジェクト操作レバー４２をＹ１方向に押し込んだときの状態を示す。
【００６９】
図１１（Ａ）を参照すると、イジェクト操作レバー４２は、その中央部に開口部４２ａを創出し、開口部４２ａを画するＸ２側の内壁から開口部４２ａの内部に向かって突出するカム部４２ｂを備える。
【００７０】
また、カードロック用爪３６は、本体部３６ａと、イジェクト操作レバー４２の開口部４２ａ内をＹ１−Ｙ２方向にスライド可能に、かつ、イジェクト操作レバー４２のカム部４２ｂと係合可能に開口部４２ａ内に収容されるカム係合部３６ｂと、本体部３６ａからＸ１方向に延在し本体部３６ａとカム係合部３６ｂとを連結する連結部３６ｃと、本体部３６ａからＸ２方向に突出する爪部３６ｄとを有する。
【００７１】
図１１（Ａ）の状態において、カードロック用爪３６は、カム係合部３６ｂをカム部４２ｂに係合させることなくカム部４２ｂのＹ２側に配置させながら、爪部３６ｄをカード５０におけるカードロック用凹部５６の係合面５６ａに係合させ、カード５０がＹ２方向に飛び出すのを防止している。
【００７２】
図１１（Ｂ）を参照すると、イジェクト操作レバー４２は、一回の瞬間的な押し操作によってカード５０のＹ２側の端面を含む平面を超えて更にＹ２側に突出させられているが、カードロック用爪３６は、図１１（Ａ）のときと同様、カム係合部３６ｂをカム部４２ｂに係合させることなくカム部４２ｂのＹ１側に配置させながら（厳密には、イジェクト操作レバー４２がＹ２方向に突出する際に、カム係合部３６ｂは、見かけ上カム部４２ｂを乗り越えて開口部４２ａ内をＹ１方向に移動し、カム部４２ｂに一時的に係合することとなる。）、爪部３６ｄをカード５０におけるカードロック用凹部５６の係合面５６ａに係合させ、カード５０がＹ２方向に飛び出すのを防止している。
【００７３】
一方、図１１（Ｃ）を参照すると、イジェクト操作レバー４２は、継続的な押し操作（矢印ＡＲ３参照。）によってＹ１方向に押し込まれ、カードロック用爪３６は、イジェクト操作レバー４２の押し操作に伴ってＹ１方向に移動してきたカム部４２ｂにカム係合部３６ｂを係合させ、カム係合部３６ｂをＸ１方向に僅かに移動させる（矢印ＡＲ４参照。）。
【００７４】
カム係合部３６ｂがＸ１方向に移動させられると、カードロック用爪３６の本体部３６ａもＸ１方向に移動させられ、爪部３６ｄとカード５０におけるカードロック用凹部５６の係合面５６ａとの係合が解除され、それと同時に、イジェクト操作レバー４２の押し操作によって回動させられるカード押し出し回動部材４１が生み出す排出力によってカード５０がＹ２方向に排出される（矢印ＡＲ５参照。）。
【００７５】
この構成により、カード用コネクタ１００は、イジェクト操作レバー４２を用いたカード５０のイジェクトを阻害することなく、カード５０の意図しない飛び出しを防止することができる。
【００７６】
例えば、カード用コネクタ１００は、車載装置（例えば、カーナビゲーションシステムや車載オーディオシステム等である。）に搭載された場合であっても、振動等によるカード５０の意図しない抜け落ちを防止することができる。
【００７７】
次に、図１２を参照しながら、飛び出し防止用爪の機能について説明する。
【００７８】
図１２は、飛び出し防止用爪３８とカード５０との間の係合関係を説明するための図であり、カードロック用爪３６とカード５０におけるカードロック用凹部５６の係合面５６ａとの間の係合によって保持されていた状態からＹ２方向に距離Ｓ３だけカード５０が排出されたときに、飛び出し防止用爪３８とカード５０における飛び出し防止用凹部５８とが係合することを示す。
【００７９】
この構成により、カード用コネクタ１００は、カードイジェクト機構４０によってカード５０をイジェクトする際にカード５０が勢い余って飛び出してしまうのを防止することができる。
【００８０】
例えば、カード用コネクタ１００は、車載装置（例えば、カーナビゲーションシステムや車載オーディオシステム等である。）に組み込まれた場合、その車載装置を搭載した車両が傾斜面に駐車した状態（カード用コネクタ１００がカード排出口を下にして傾斜した状態）でカード５０が排出されたときであっても、カード５０の抜け落ちを防止することができ、落下によるカード５０の破損を防止することができる。
【００８１】
ここで、距離Ｓ３は、カード押し出し部材４１によって決定される排出距離Ｓ２（図６参照。）以上となるように設定される。カード押し出し部材４１によるカード５０の押し出しを阻害することがないようにするためである。
【００８２】
以上の構成により、カード用コネクタ１００は、カード５０のコンタクト部５２におけるピン穴５２ａ及び同軸ケーブル用ピン穴５２ｂからコネクタ本体２０のピン端子２２及び同軸ケーブル端子２３を引き抜くのに十分な大きさの排出力を提供可能としながらも、イジェクト操作レバー４２の操作ストロークに対する排出距離を増大させることができる。
【００８３】
また、カード用コネクタ１００は、専用のカード５０を用いることによってカード押し出し部材４１を収容する空間をコネクタ本体２０の上に確保するので、その奥行き方向の寸法を更に短縮することができる。
【００８４】
次に、図１３〜図１７を参照しながら、本発明に係るカード用コネクタを搭載する車載装置について説明する。
【００８５】
図１３は、本発明に係る車載装置の一例を示す図であり、図１３（a）は、車載装置７０の正面図を示し、図１３（ｂ）は、車載装置７０の側面図を示す。
【００８６】
図１３（a）及び図１３（ｂ）で示されるように、車載装置７０は、表示部７１、ＣＤ／ＤＶＤ挿入用スロット７２、操作ボタン７３、カード用コネクタ１００Ｖ、及びカード用コネクタ１００Ｗを有する。
【００８７】
カード用コネクタ１００Ｖ及び１００Ｗはそれぞれ、上述のカード用コネクタ１００と同じものであり、イジェクト操作レバー４２Ｖ、４２Ｗを備え、カード５０Ｖ、カード５０Ｗを抜き差しできるように構成されている。
【００８８】
なお、図１３（ａ）は、カード５０Ｗが、カード用コネクタ１００Ｗに装着された状態を示し、図１３（ｂ）は、カード５０Ｗが矢印ＡＲ６方向に（表示部７１に対して垂直な方向に）抜き差しされている状態を示す。
【００８９】
上述の通り、カード用コネクタ１００Ｗに装着されたカード５０Ｗは、イジェクト操作レバー４２Ｗを操作することによって、カード用コネクタ１００Ｗから排出される。なお、カード用コネクタ１００Ｖに装着されるカード５０Ｖについても同様の説明が適用されるものとする。
【００９０】
図１４は、本発明に係る車載装置の別の一例を示す図であり、車載装置８０は、表示部８１を前面側に備えた装置であって、スライド機構８５（図１４（ｄ）参照。）によって表示部８１の下部を手前にスライドさせながら傾けることにより表示部８１の背後にある各種装置を露出させることが可能なように構成されている。
【００９１】
図１４（a）は、表示部８１が直立状態にあるときの車載装置８０の正面図を示し、図１４（ｂ）は、図１４（ａ）のＡ−Ａ線断面図を示す。なお、後述するように、表示部８１の背後にあるカード用コネクタ１００Ｙにはカード５０Ｙが装着されているものとする。
【００９２】
また、図１４（ｃ）は、表示部８１の下部が手前にスライドさせられて表示部８１が傾斜状態となったときの車載装置８０の正面図を示し、図１４（ｄ）は、図１４（ｃ）のＢ−Ｂ線断面図を示す。
【００９３】
また、図１４（ｅ）は、表示部８１の下部が手前にスライドさせられて表示部８１がほぼ水平状態となったときの車載装置８０の正面図を示し、図１４（ｆ）は、図１４（ｅ）のＣ−Ｃ線断面図を示す。
【００９４】
更に、図１４（ｇ）は、図１４（ａ）と同様、表示部８１が直立状態にあるときの車載装置８０の正面図を示し、図１４（ｈ）は、図１４（ｇ）のＤ−Ｄ線断面図を示す。なお、後述するように、表示部８１の背後にあるカード用コネクタ１００Ｙからはカード５０Ｙが抜き取られているものとする。
【００９５】
車載装置８０は、表示部８１、外枠８２、エスカッションキー８３をその前面に有し、表示部８１は、外枠８２の外枠上部８２Ｕと外枠下部８２Ｌとの間に配置されている。
【００９６】
また、車載装置８０は、表示部８１の背後に、ディスクユニット８４とカード用コネクタ１００Ｘ及び１００Ｙとを備え、表示部８１の下部がスライド機構８５によって手前にスライドさせられるにつれて、ディスクユニット８４、並びにカード用コネクタ１００Ｘ及び１００Ｙを順番に露出させる。
【００９７】
ディスクユニット８４は、ＣＤ、ＤＶＤ等のディスクを抜き差し可能なディスク用スロット８４０と、ディスク用スロット８４０の端部に隣接するディスク用イジェクトボタン８４１とを備える。
【００９８】
カード用コネクタ１００Ｘ及び１００Ｙはそれぞれ、上述のカード用コネクタ１００と同じものであり、イジェクト操作レバー４２Ｘ、４２Ｙを備え、カード５０Ｘ、５０Ｙを抜き差しできるように構成されている。
【００９９】
また、カード用コネクタ１００Ｘ及び１００Ｙはそれぞれ、カード排出センサ８６Ｘ（図示せず。）、８６Ｙ、及び、カード接続センサ８７Ｘ（図示せず。）、８７Ｙを有する。
【０１００】
カード排出センサ８６Ｘ、８６Ｙはそれぞれ、接続が解除された取り出し前のカード５０Ｘ、５０Ｙがカード用コネクタ１００Ｘ、１００Ｙ内に存在するか否かを検出するためのセンサである。
【０１０１】
また、カード接続センサ８７Ｘ、８７Ｙはそれぞれ、カード５０Ｘ、５０Ｙがカード用コネクタ１００Ｘ、１００Ｙに接続されているか否かを検出するためのセンサである。
【０１０２】
図１４（ｃ）及び図１４（ｄ）で示されるように、車載装置８０は、スライド機構８５によって表示部８１が傾斜状態になると、その背後にあるディスクユニット８４を露出させる。なお、図１４（ｃ）及び図１４（ｄ）の状態において、操作者は、ディスクユニット８４に対しディスクを抜き差しすることはできるが、カード用コネクタ１００Ｘ、１００Ｙが未だ露出していないため、カード用コネクタ１００Ｘ、１００Ｙに対してはカード５０Ｘ、５０Ｙを抜き差しすることができない。
【０１０３】
一方、図１４（ｅ）及び図１４（ｆ）で示されるように、車載装置８０は、スライド機構８５によって表示部８１がほぼ水平状態になると、その背後にあるディスクユニット８４に加え、カード用コネクタ１００Ｘ、１００Ｙをも露出させる。図１４（ｅ）及び図１４（ｆ）の状態において、操作者は、カード用コネクタ１００Ｘ、１００Ｙが完全に露出しているため、カード用コネクタ１００Ｘ、１００Ｙに対してカード５０Ｘ、５０Ｙを抜き差しすることができる。
【０１０４】
この状態において、車載装置８０は、カード排出センサ８６Ｘ、８６Ｙ、及び、カード接続センサ８７Ｘ、８７Ｙの出力に基づいて、接続が解除された取り出し前のカード５０Ｘ、５０Ｙがカード用コネクタ１００Ｘ、１００Ｙ内に存在すると判断した場合には（車載装置８０は、カード排出センサ８６Ｘ、８６Ｙがカード５０Ｘ、５０Ｙの存在を検出し、且つ、カード接続センサ８７Ｘ、８７Ｙがカード５０Ｘ、５０Ｙの非接続状態を検出した場合に、取り出し前のカード５０Ｘ、５０Ｙがカード用コネクタ１００Ｘ、１００Ｙ内に存在するものと判断する。）、表示部８１が水平状態から直立状態に復帰するのを禁止する。カード用コネクタ１００Ｘ、１００Ｙの挿入口から突出したカード５０Ｘ、５０Ｙと外枠上部８２Ｕとが接触するのを防止するためである。
【０１０５】
以上、本発明の好ましい実施例について詳説したが、本発明は、上述した実施例に制限されることはなく、本発明の範囲を逸脱することなしに上述した実施例に種々の変形及び置換を加えることができる。
【０１０６】
例えば、上述の実施例において、カード用コネクタ１００は、イジェクト操作レバー４２、伝達カムアーム４３及びイジェクトバー４４によるプッシュロック・プッシュリターン機構を採用するが、プッシュロック・プッシュリターン機構を採用することなく、イジェクト操作レバー４２、伝達カムアーム４３及びイジェクトバー４４を一体的に形成するようにしてもよい。
【０１０７】
また、上述の実施例において、回動凹部３９は、ガイド本体３０の内面からＺ２方向に突出するよう配設されるが、コネクタ本体２０のフレーム部材２１からＺ１方向に突出するよう配設されてもよく、或いは、他の固定部材に配設されていてもよい。
【符号の説明】
【０１０８】
２０    コネクタ本体
２１    フレーム部材
２２    ピン端子
２３    同軸ケーブル端子
３０    ガイド本体
３１    コネクタ本体嵌合部
３１ａ、３１ｂ  ガイドレール
３２    金属製シールド
３４    カード接地用金具
３５    レバー状態検知コンタクト
３６    カードロック用爪
３６ａ  カム係合部
３６ｂ  連結部
３６ｃ  爪部
３８    飛び出し防止用爪
３９    回動凹部
４０    カードイジェクト機構
４１、４１０、４１１、４１２    カード押し出し回動部材
４１ａ  押し操作力受け部
４１ｂ  回動凸部
４１ｃ、４１ｄ  カード押し出し部
４１０ｃ、４１０ｄ、４１０ｅ、４１１ｆ、４１２ｃ、４１２ｄ、  カード押し出し部
４２、４２Ｖ〜４２Ｙ    イジェクト操作レバー
４２ａ  開口部
４２ｂ  カム部
４３    伝達カムアーム
４４    イジェクトバー
５０、５０Ｖ〜５０Ｙ    カード
５２    コンタクト部
５２ａ  ピン穴
５２ｂ  同軸ケーブル用ピン穴
５４    壁面部
５４ａ  壁面凸部
５６    カードロック用凹部
５６ａ  係合面
５８    飛び出し防止用凹部
７０    車載装置
７１    表示部
７２    ＣＤ／ＤＶＤ挿入用スロット
７３    操作ボタン
８０    車載装置
８１    表示部
８２    外枠
８２Ｕ  外枠上部
８２Ｌ  外枠下部
８３    エスカッションキー
８４    ディスクユニット
８４０  ディスク用スロット
８４１  ディスク用イジェクトボタン
８５    スライド機構
１００、１００Ｖ〜１００Ｙ  カード用コネクタ
【図４】
2012043539.tif 000003
【図５】
2012043539.tif 000004
【図１０】
2012043539.tif 000005
【図１２】
2012043539.tif 000006
【図１３】
2012043539.tif 000007
【図１４】
2012043539.tif 000008
【図１】
2012043539.tif 000009
【図２】
2012043539.tif 000010
【図３】
2012043539.tif 000011
【図６】
2012043539.tif 000012
【図７】
2012043539.tif 000013
【図８】
2012043539.tif 000014
【図９】
2012043539.tif 000015
【図１１】
2012043539.tif 000016